(57)【要約】【課題】効率よく医療用カテーテルにバルーンを取り付ける方法と装置を提供する。【解決手段】筒状のバルーンを棒状ピンの外周に取り付けられたダイアフラム上に重なるようにセットした後、この棒状ピンを開閉自在な一対のバルーンホルダに形成した凹溝内に装着し、次いで、前記ダイアフラムを膨出させることによりバルーンを膨らませ、このバルーンを前記凹溝に開口するように設けた真空チャンバに配置されるポーラス材に押し付けた後、真空チャンバを真空引きして前記バルーンをポーラス材に吸引固定し、次いで、前記ダイアフラムを収縮させた後に前記バルーンを凹溝内に残して棒状ピンのみを凹溝外へ撤去し、次いで、予め接着剤が塗布されているカテーテル本体の先端部を凹溝内に挿入した後、前記真空チャンバの真空引きを停止してバルーンのポーラス材への固定状態を解き、バルーンの収縮によりカテーテル本体の先端部に接着する。【選択図】図４
2019069003.tif 000002
【特許請求の範囲】
【請求項１】
チューブ状のカテーテル本体の先端部に伸縮自在なバルーンを取り付けてなるカテーテルにバルーンを取り付ける方法であって、
筒状のバルーンを棒状ピンの外周に取り付けられたダイアフラム上に重なるようにセットした後、
この棒状ピンを開閉自在な一対のバルーンホルダに形成した凹溝内に装着し、
次いで、前記ダイアフラムを膨出させることによりバルーンを膨らませ、このバルーンを前記凹溝に開口するように設けた真空チャンバに配置されるポーラス材に押し付けた後、
真空チャンバを真空引きして前記バルーンをポーラス材に吸引固定し、
次いで、前記ダイアフラムを収縮させた後に前記バルーンを凹溝内に残して棒状ピンのみを凹溝外へ撤去し、
次いで、予め接着剤が塗布されているカテーテル本体の先端部を凹溝内に挿入した後、
前記真空チャンバの真空引きを停止してバルーンのポーラス材への固定状態を解き、バルーンの収縮によりカテーテル本体の先端部に接着し、
その後、バルーンホルダを開いてバルーンが接着したカテーテル本体を取り出すことを特徴とするカテーテルにバルーンを取り付ける方法。
【請求項２】
カテーテル本体の外周の前後にリング状に接着剤を塗布しておき、バルーンの両端部を接着することによって密閉状態を形成する請求項１に記載のカテーテルにバルーンを取り付ける方法。
【請求項３】
チューブ状のカテーテル本体の先端部に伸縮自在なバルーンを取り付けてなるカテーテルにバルーンを取り付けるための装置であって、
外周にダイアフラムが取り付けられているバルーンセット用の棒状ピンと、
前記棒状ピンを装着する凹溝が形成された開閉自在な一対のバルーンホルダと、
前記凹溝に開口するように設けられ、内部にポーラス材を配置した真空チャンバを有することを特徴とするカテーテルにバルーンを取り付ける装置。
【請求項４】
一対のバルーンホルダには、位置合わせ用のガイドピンとガイド孔とが設けられている請求項３に記載のカテーテルにバルーンを取り付ける装置。
【請求項５】
棒状ピンにはダイアフラム変形用のエア供給孔が設けられており、またバルーンホルダには真空チャンバを真空引きをするための吸引孔が設けられている請求項３または４に記載のカテーテルにバルーンを取り付ける装置。
【発明の詳細な説明】
【技術分野】
【０００１】
本発明は、医療用カテーテルの先端に抜け防止用のバルーンを安定かつ効率よく取り付けることができるカテーテルにバルーンを取り付ける方法と装置に関するものである。
【背景技術】
【０００２】
従来から、例えば尿道カテーテルのような医療用カテーテルが広く利用されている。この尿道カテーテルは、麻酔等の影響で排尿が困難な患者の導尿や、絶対安静が必要な患者の導尿などを行うにあたって使われる管である。即ち、尿道カテーテルは患者の意思では尿の排泄が難しいときや、排泄が困難な状態にあるときに使用される医療用の排泄用具である。
【０００３】
前記尿道カテーテルは、全身麻酔がかかっている間に患者の尿道に装着され、術後も一定の期間は装着されているのが普通であるが、麻酔から覚醒した後は違和感や残尿感があって不快なため患者が故意に尿道カテーテルを取り外す場合や、寝返り等の際に無意識で尿道カテーテルが外れてしまう場合がある。この際に、患者は相当の苦痛が伴うこととなり、また再度カテーテルを装着するのも麻酔がかかっていないので大きな苦痛を伴うこととなって、いずれも避けたい事態であった。
そこで、特許文献１〜特許文献３に示されるように、装着後において膀胱内に位置するカテーテル先端のバルーンを膨らますことができる構造として、膀胱からチューブが抜け落ちないようにしたものが提案されており、実用に供されている。
【０００４】
しかしながら、バルーン付きの場合は、カテーテルの所定位置に前記バルーンを取り付ける作業が煩雑であり、しかも全て手作業で行われていたので生産に時間がかかり生産コストも高くなるという問題があった。また、不良品の発生も多く生産効率に劣るという問題もあった。従って、前記尿道カテーテルの所定位置に抜け防止用のバルーンの取り付け作業を、従来の人手による作業に換えて成形型を利用して連続的に効率よく行うことができる機械式のバルーン取り付け方法の開発が要望されていた。
【先行技術文献】
【特許文献】
【０００５】
【特許文献１】特開２０１３−４３０１０号公報
【特許文献２】特開２０１１−２５０９０３号公報
【特許文献３】特表平１１−５０６６４０号公報
【発明の概要】
【発明が解決しようとする課題】
【０００６】
本発明は上記のような従来の問題点を解決して、手作業でなく機械式により医療用カテーテルの先端に抜け防止用のバルーンを連続して確実に取り付けることができ、また生産効率が高く低コストで取り付けることができるカテーテルにバルーンを取り付ける方法と装置を提供することを目的とするものである。
【課題を解決するための手段】
【０００７】
上記課題を解決するためになされた本発明は、チューブ状のカテーテル本体の先端部に伸縮自在なバルーンを取り付けてなるカテーテルにバルーンを取り付ける方法であって、
筒状のバルーンを棒状ピンの外周に取り付けられたダイアフラム上に重なるようにセットした後、
この棒状ピンを開閉自在な一対のバルーンホルダに形成した凹溝内に装着し、
次いで、前記ダイアフラムを膨出させることによりバルーンを膨らませ、このバルーンを前記凹溝に開口するように設けた真空チャンバに配置されるポーラス材に押し付けた後、
真空チャンバを真空引きして前記バルーンをポーラス材に吸引固定し、
次いで、前記ダイアフラムを収縮させた後に前記バルーンを凹溝内に残して棒状ピンのみを凹溝外へ撤去し、
次いで、予め接着剤が塗布されているカテーテル本体の先端部を凹溝内に挿入した後、
前記真空チャンバの真空引きを停止してバルーンのポーラス材への固定状態を解き、バルーンの収縮によりカテーテル本体の先端部に接着し、
その後、バルーンホルダを開いてバルーンが接着したカテーテル本体を取り出すことを特徴とするものであり、これを請求項１に係る発明とする。
【０００８】
その他の好ましい実施形態によれば、前記カテーテル本体の外周の前後にリング状に接着剤を塗布しておき、バルーンの両端部を接着することによって密閉状態を形成するのが好ましく、これを請求項２に係る発明とする。
【０００９】
また本発明は、チューブ状のカテーテル本体の先端部に伸縮自在なバルーンを取り付けてなるカテーテルにバルーンを取り付けるための装置であって、
外周にダイアフラムが取り付けられているバルーンセット用の棒状ピンと、
前記棒状ピンを装着する凹溝が形成された開閉自在な一対のバルーンホルダと、
前記凹溝に開口するように設けられ、内部にポーラス材を配置した真空チャンバを有することを特徴とするものであり、これを請求項３に係る発明とする。
【００１０】
その他の好ましい実施形態によれば、前記一対のバルーンホルダには、位置合わせ用のガイドピンとガイド孔とが設けられているものが好ましく、これを請求項４に係る発明とする。
【００１１】
その他の好ましい実施形態によれば、棒状ピンにはダイアフラム変形用のエア供給孔が設けられており、またバルーンホルダには真空チャンバを真空引きをするための吸引孔が設けられているものが好ましく、これを請求項５に係る発明とする。
【発明の効果】
【００１２】
請求項１に係る発明では、筒状のバルーンを棒状ピンの外周に取り付けられたダイアフラム上に重なるようにセットした後、この棒状ピンを開閉自在な一対のバルーンホルダに形成した凹溝内に装着し、次いで、前記ダイアフラムを膨出させることによりバルーンを膨らませ、このバルーンを前記凹溝に開口するように設けた真空チャンバに配置されるポーラス材に押し付けた後、真空チャンバを真空引きして前記バルーンをポーラス材に吸引固定し、次いで、前記ダイアフラムを収縮させた後に前記バルーンを凹溝内に残して棒状ピンのみを凹溝外へ撤去し、次いで、予め接着剤が塗布されているカテーテル本体の先端部を凹溝内に挿入した後、前記真空チャンバの真空引きを停止してバルーンのポーラス材への固定状態を解き、バルーンの収縮によりカテーテル本体の先端部に接着するようにしたので、ダイアフラムおよびポーラス材を利用してバルーンの伸縮を行い、手作業でなく機械式によりバルーンをカテーテル本体に効率よく確実に取り付けることができる。
【００１３】
請求項２に係る発明では、前記カテーテル本体の外周の前後にリング状に接着剤を塗布しておき、バルーンの両端部を接着することによって密閉状態を形成するようにしたので、カテーテルの所定位置に抜け防止用のバルーンを確実に取り付けることができる。
【００１４】
請求項３に係る発明では、外周にダイアフラムが取り付けられているバルーンセット用の棒状ピンと、前記棒状ピンを装着する凹溝が形成された開閉自在な一対のバルーンホルダと、前記凹溝に開口するように設けられ、内部にポーラス材を配置した真空チャンバを有する装置としたので、簡単な構造であり、またエアの出し入れという簡単な操作によってバルーンをカテーテル本体に効率よく確実に取り付けることができる。
【００１５】
請求項４に係る発明では、一対のバルーンホルダには、位置合わせ用のガイドピンとガイド孔とが設けられている装置としたので、バルーンをカテーテル本体に対し正確に位置合わせをして精度の高い製品を生産することができる。
【００１６】
請求項５に係る発明では、棒状ピンにはダイアフラム変形用のエア供給孔が設けられており、またバルーンホルダには真空チャンバを真空引きをするための吸引孔が設けられている装置としたので、エアの供給・吸引・停止を行うのみでバルーンをカテーテル本体に効率よく確実に取り付けることができる。
【図面の簡単な説明】
【００１７】
【図１】バルーン付きのカテーテルを示す全体図である。
【図２】棒状ピンを示す断面図である。
【図３】バルーンホルダを示す断面図である。
【図４】バルーンホルダに棒状ピンを挿入する工程を示す断面図である。
【図５】図４のバルーンホルダを閉じる工程を示す断面図である。
【図６】ダイアフラムを膨出する工程を示す断面図である。
【図７】図６の要部の拡大図である。
【図８】真空チャンバを真空引きする工程を示す断面図である。
【図９】図８の要部の拡大図である。
【図１０】棒状ピンをバルーンホルダから撤去する工程を示す断面図である。
【図１１】カテーテル本体をバルーンホルダに挿入する工程を示す断面図である。
【図１２】真空チャンバの真空引きを停止した工程を示す断面図である。
【図１３】図１２の要部の拡大図である。
【図１４】バルーンホルダを開いた工程を示す断面図である。
【図１５】カテーテル本体を撤去する工程を示す断面図である。
【発明を実施するための形態】
【００１８】
以下に、図面を参照しつつ本発明の好ましい実施の形態を示す。
図１は、尿道カテーテルとして使用されるバルーン付きのカテーテルを示す全体図である。図中、３０はチューブ状のカテーテル本体、３１は先端部に取り付けられる伸縮自在なシリコン樹脂製のバルーンである。３２は尿回収孔、３３はバルーンを膨らますためのエア供給孔であり、それぞれ接続ブラケット３４、３５に連通されている。
【００１９】
前記バルーン３１をカテーテル本体３０に取り付ける作業は煩雑であり、従来は特殊な器具等を用いて手作業で行っていた。そのため生産に時間がかかり生産コストも高くなるという問題があった。
本発明は、この取り付け作業を、従来の手作業にかえて機械的かつ連続的に効率よく行うようにすることを技術的課題とするものであり、外周にダイアフラムが取り付けられているバルーンセット用の棒状ピンと、前記棒状ピンを装着する凹溝が形成された開閉自在な一対のバルーンホルダと、前記凹溝に開口するように設けられ、内部にポーラス材を配置した真空チャンバを有する装置を用いて、機械的かつ連続的にカテーテルにバルーンを取り付ける点に特徴を有する。
【００２０】
以下に、図２〜図１５を参照しつつ、本発明のカテーテルにバルーンを取り付ける方法につき説明する。
図２は、本発明で用いる棒状ピンを示す断面図である。この棒状ピン２０は、前記バルーン３１をバルーンホルダの所定位置にセットするための治具であり、ピンの外径はバルーン３１の内径よりも僅かに小さく形成され、先端部はバルーンの挿入を容易にするように先細形状となっている。また、前方部の外周にはダイアフラム２１が取り付けられているとともに、エア供給孔２２が連通されていてダイアフラム２１を自在に膨出できる構造となっている。
【００２１】
図３は、バルーンホルダを示す断面図である。図において１、２は、上下方向に開閉自在な一対のバルーンホルダを示しており、このバルーンホルダ１、２の接合面には、前記棒状ピン２０を挿入するための断面円弧状の凹溝３、３が形成されている。また、接合面には係合ピン４ａと係合孔４ｂが設けられていて、バルーンホルダ１、２が正確に位置合わせして接合される構造となっている。なお、この係合手段についてはこれに限定されず任意のものを選択することができ、また係合手段を設ける位置や凹凸をどちらに取り付けるか等についても任意に選択することができる。
【００２２】
また、前記凹溝３、３の底面には、それぞれ真空チャンバ５、５が開口するように設けられており、この真空チャンバ５、５にはチャンバの真空引きをするための吸引孔６、６が連通されている。更に、前記真空チャンバ５、５の内部には、通気性のあるポーラス材７、７が配置されている。
【００２３】
図４は、開いた状態にあるバルーンホルダ１、２の所定位置に、前述した図２に示す棒状ピン２０を挿入する工程を示す断面図である。なお、前記棒状ピン２０には、所定の長さに切断したバルーン３１がダイアフラム２１に重なるようにセットされている。
このとき、ダイアフラム２１にはエアはまだ供給されておらず、バルーン３１は原形の寸法を維持している。
【００２４】
次に、図５に示すように、バルーンホルダ１、２を閉じると、係合ピン４ａと係合孔４ｂが係合して正確に位置合わせした状態で接合されるため、棒状ピン２０は凹溝３内に密着した状態で収納される。また、バルーン３１も真空チャンバ５内にピッタリと収納されることとなる。
【００２５】
次に、図６に示すように、エア供給孔２２にエアを供給するとダイアフラム２１が膨出し、また、このダイアフラム２１の外側にあるバルーン３１もいっしょに膨出するので、バルーン３１はポーラス材７に押し付けられることとなる。更に、この状態で吸引孔６、６から真空引きして真空チャンバ５内を真空状態とすると、前記バルーン３１はダイアフラム２１からの内側から外側に向かう力と、真空チャンバ５から受ける吸引力により、ポーラス材７の表面にしっかりと固定されることとなる。
【００２６】
図７はこの状態における要部の拡大図である。図７に示されるように、ダイアフラム２１は膨出して棒状ピン２０の外周との間に僅かな隙間（Ｓ１）を形成しており、一方、ダイアフラム２１とバルーン３１はポーラス材７の表面にしっかりと固定された状態となっている。
【００２７】
次に、図８に示すように、エア供給孔２２のエアの供給を停止すると、ダイアフラム２１は収縮して当初の形状に戻るが、バルーン３１は真空チャンバ５から受ける吸引力によりそのままポーラス材７の表面にしっかりと固定された状態を維持する。この結果、ダイアフラム２１とバルーン３１が分離して、両者の間に隙間（Ｓ２）が形成される（図９を参照）。
【００２８】
次に、図１０に示すように、ダイアフラム２１とともに棒状ピン２０を引き抜く。この時、バルーン３１との間には僅かな隙間（Ｓ２）があるので棒状ピン２０をスムーズに引き抜くことができる。これにより、ホルダ１、２の内部には、バルーン３１のみが残された状態となる。
【００２９】
次に、図１１に示すように、ホルダ１、２の内部にカテーテル本体３０を挿入する。このカテーテル本体３０の外周の所定位置（両端部付近）には、前もって接着剤がリング状に２本塗布されている。また、カテーテル本体３０の挿入時において、バルーン３１と接触しないようにカテーテル本体３０の外径やポーラス材７の内径等が設計されている。
【００３０】
次に、図１２に示すように、カテーテル本体３０を所定の位置まで挿入した後は、吸引孔６、６からの真空引きを停止して真空チャンバ５内を大気解放する。この結果、ポーラス材７側へ引っ張られていたバルーン３１が弾力により元の形状に戻ろうとして収縮し、カテーテル本体３０の外表面に密着する（図１３の拡大図を参照）。また、カテーテル本体３０の外周の所定位置には、前もって接着剤３６がリング状に２本塗布されているので、バルーン３１の両端部が接着され密封されることとなる。
【００３１】
次にバルーンホルダ１、２を開き（図１４を参照）、次いで、カテーテル本体３０を取り出して（図１５を参照）、カテーテルにバルーンを取り付ける工程のサイクルを終了する。以後、同様の手順により機械式で連続してバルーンの取り付けを正確に繰り返すことができる。
【００３２】
以上の説明からも明らかなように、本発明はダイアフラムを取り付けた棒状ピンと、ポーラス材が配置された真空チャンバを設けたバルーンホルダを利用して、医療用カテーテルの先端に抜け防止用のバルーンを取り付けるようにしたので、従来のように手作業でなく機械式により連続的に、かつ確実に取り付けることができ、また生産効率が高く低コストで取り付けることができることとなる。
【符号の説明】
【００３３】
１  バルーンホルダ
２  バルーンホルダ
３  凹溝
４ａ  ガイドピン
４ｂ  ガイド孔
５  真空チャンバ
６  吸引孔
７  ポーラス材
２０  棒状ピン
２１  ダイアフラム
２２  エア供給孔
３０  カテーテル本体
３１  バルーン
３２  尿回収孔
３３  エア供給孔
３４  接続ブラケット
３５  接続ブラケット
３６  接着剤
【図１】
2019069003.tif 000003
【図２】
2019069003.tif 000004
【図３】
2019069003.tif 000005
【図４】
2019069003.tif 000006
【図５】
2019069003.tif 000007
【図６】
2019069003.tif 000008
【図７】
2019069003.tif 000009
【図８】
2019069003.tif 000010
【図９】
2019069003.tif 000011
【図１０】
2019069003.tif 000012
【図１１】
2019069003.tif 000013
【図１２】
2019069003.tif 000014
【図１３】
2019069003.tif 000015
【図１４】
2019069003.tif 000016
【図１５】
2019069003.tif 000017